(57)【特許請求の範囲】
【請求項１】
映像作成システムと組み合わされ、幹細胞、培養上清或いは薬剤を点滴により投与する投与システムにおいて、
前記映像作成システムは、映像データを記録する機能を有する記憶装置と、既存の映像のデータを編集する機能を有する編集ブロックと、編集ブロックで編集される映像を表示する表示装置と、編集ブロックに映像編集に関する指示を入力する入力装置を有し、前記編集ブロックでは疾病の対象となる人体の部位の修復を表現する映像を編集する機能を有し、
映像投影用ゴーグルと、当該ゴーグルに映像を送信する映像装置を有し、
当該映像装置は映像作成システムで編集された映像データを受信する機能を有し、
前記映像作成システムで編集された映像を調整する機能を有する映像調整用ブロックと、
点滴開始信号が入力されると前記調整された映像のデータを前記映像投影用ゴーグルに送信し、点滴終了信号が入力されると前記調整された映像のデータを前記映像投影用ゴーグルへ送信することを終了する機能を有する映像信号出力ブロックを含むことを特徴とする投与システム。
【請求項２】
幹細胞、培養上清或いは薬剤を投与する投与システムにおいて、
前記投与システムは幹細胞、培養上清或いは薬剤を投与によって患者の体内に生じている疾病の対象となる人体の部位の修復を経時的に表現する内容の映像を治療終了前に患者に投与提供する機能と、以て前記患者に治療の効果を視覚的に疑似体験させる機能を有する映像信号出力ブロックを含み、
前記映像信号出力ブロックは、前記患者への幹細胞、培養上清或いは薬剤の前記投与の開始を示す信号が入力されると前記映像のデータを患者に送信し、前記患者への前記投与の終了を示す信号が入力されると前記映像のデータの患者への送信を終了することを特徴とする投与システム。
【請求項３】
前記映像信号出力ブロックは、前記映像データと共に改善された数値を患者に示す機能を有する請求項２の投与システム。
【請求項４】
前記映像信号出力ブロックは、前記疑似体験を映像として患者に提供する機能を有する請求項２または請求項３の何れかの投与システム。
【発明の詳細な説明】
【技術分野】
【０００１】
本発明は、仮想現実（ＶＲ）体験システムで用いられる三次元映像や動画（アニメーション等の二次元映像等）を含む各種映像を作成するシステムに関し、特に、幹細胞投与や各種薬剤に好適な映像を作成するシステムであって、医療機器として機能することが可能なシステムに関する。
【背景技術】
【０００２】
例えば幹細胞を患者に投与して損傷した臓器等を修復する再生医療は、近年、急速な進歩を遂げている（例えば、特許文献１参照）。
再生医療技術を適宜実行することにより、以前は治療が困難であった難病に罹患した患者であっても、確実に治療することが出来る。
【０００３】
ここで、治療においては病理学的な研究、解析が必要であるが、例えば「偽薬効果（プラシーボ）」の様に患者の心理面に良好な影響を与えると、治療効果の向上、改善に大きく寄与することは良く知られている。
しかし、再生医療分野では、患者の心理的側面に好影響を与えて治療効果を改善しようとする試みはされていない。
【先行技術文献】
【特許文献】
【０００４】
【特許文献１】特開２０１９−１４７４７号公報
【発明の概要】
【発明が解決しようとする課題】
【０００５】
本発明は上述した背景技術に鑑みて提案されたものであり、幹細胞、幹細胞培養の際に用いられた培地の上清（培養上清）、各種薬剤を患者に投与する際に、患者の心理的側面から治療効果を改善することが出来て、医療機器として用いることが出来る映像作成システムに関する。
【課題を解決するための手段】
【０００６】
本発明の映像作成システム（１）は、
映像データ（予め取得して記憶されている既存の映像のデータ、インナーネット等から取得した既存の映像のデータ、編集された映像のデータ等）を記録する機能を有する記憶装置（１Ａ）と、
既存の映像のデータを編集する機能を有する編集ブロック（１Ｂ）と、
編集ブロック（１Ｂ）で編集される映像を表示する表示装置（１Ｃ：ディスプレイ）と、
編集ブロック（１Ｂ）に映像編集に関する指示を入力する入力装置（１Ｄ：例えば、パーソナルコンピュータの入力装置）を有し、
編集ブロック（１Ｂ）では疾病の対象となる人体の部位（臓器や骨格等を含む）の修復を表現する映像を編集する機能を有していることを特徴としている。
本明細書において、「映像」なる文言は、ＶＲ体験システムで用いられる様な三次元映像のみならず、その他の映像や、アニメーション等の二次元映像、その他の各種動画をも包含する意味で用いられている。
また本発明において、患者に投与されるのは、例えば幹細胞、幹細胞培養の際に用いられた培地の上清（培養上清）、或いは各種薬剤（例えば抗がん剤、ビタミン剤、遺伝子治療用薬剤、点滴剤の様な各種薬剤や栄養剤等も含む）である。
【０００７】
本発明において、編集された映像は、投与前と投与後の改善の状況を示すシミュレーション映像及び／又は改善された数値を包含しているのが好ましい。
ここで、改善の状況或いは改善された数値としては、血液検査の結果、バイタルサインを含むのが好ましい。
さらにバイタルサインとしては、血圧、脈拍、既存の血液検査におけるパラメータ、骨年齢、血管年齢、筋肉年齢、ホルモン年齢、その他のアンチ・エイジングの指標として用いられるパラメータを包含するのが好ましい。
【０００８】
本発明において、前記映像作成システム（１）は、幹細胞、培養上清或いは薬剤を投与する投与システム（２０：例えば点滴システム）と組み合わせて用いられ、
当該投与システム（２０）は、（患者の顔に装着する）映像投影用ゴーグル（２１：例えばＶＲ用ゴーグル）と、当該ゴーグル（２１）に映像を送信する映像装置（１０）を有し、
映像装置（１０）は前記映像作成システム（１：請求項１の映像作成システム）で編集（作成）された映像データを受信する機能を有し、
映像作成システム（１）で編集された映像（の放映時間やゴーグル２１で表示する内容）を（疾病や、投与するべき幹細胞、培養上清或いは薬剤の種類等の事項に基づいて）調整する機能を有する映像調整用ブロック（１０Ａ）を含むことを特徴としている。
【発明の効果】
【０００９】
上述の構成を具備する本発明によれば、編集ブロック（１Ｂ）では疾病の対象となる人体の部位（臓器や骨格等を含む）或いは当該部位の修復を表現する映像を編集する機能を有しているので、例えば幹細胞或いは幹細胞培養の際に用いられた培地の上清（培養上清）を患者（Ｐ）の体内に投与する際に、投与されている患者（Ｐ）に、体内に生じている状況をリアルタイムに表現する様な内容の映像、或いは、幹細胞（及び／又は培養上清）等を投与する治療を受けている患者本人にしか体験できない状況をリアルタイムに示す様な映像を見せることにより、当該患者（Ｐ）は治療の効果を視覚的に擬似体験することが出来る。
そして、その様な疑似体験により、患者（Ｐ）は疾病が治癒される感覚を視覚的に体感することが出来るので、「疾病が治癒される」という心理的な印象を受けることとなり、一種の偽薬効果（プラシーボ効果）が発揮され、疾病治癒の効果が向上すると推定される。
【００１０】
ここで、当該画像は幹細胞、培養上清、薬剤を体内に投与されている患者（Ｐ）のみが例えばＶＲゴーグル（２１）を装着して見られるものであり、当該患者（Ｐ）の疾病の状況や患者（Ｐ）の治療に関するデータに基づいて作成されており、前記投与されている患者（Ｐ）以外は見ることがない映像である。患者（Ｐ）のみが見る前記映像は、患者本人には現実的に感じられ、且つ、患者（Ｐ）の体内でリアルタイムに生じている実際の現象の映像であると感じることが出来る内容である。このことにより、「疾病が治癒される」という心理的な印象を、容易に患者（Ｐ）に与えることが出来る。
換言すれば、本発明において細胞、培養上清又は薬剤が投与されている患者本人以外の者が前記映像（患者Ｐが見る映像）を見ても、リアルタイムに生じている実際の現象であると感じることは出来ないし、自分の体内で起こっていることと感じることが出来ない。そのため、映像を見た患者（Ｐ）における「疾病が治癒されている」と言う心理的な思い込みを得ることが出来るという効果を発揮することはない。すなわち、本発明で作成された映像を見ることによる作用効果は、細胞、培養上清、薬剤を投与されている患者（Ｐ）本人しか感じることは出来ないのである。
【００１１】
発明者の実験によれば、同じ細胞及び／又は培養上清を投与されている患者（Ｐ）でも、本発明で作成された映像を見た患者（Ｐ）は、その様な映像を見ていない患者（Ｐ）に比較して、奏効率が向上し、バイタルサイン（血圧、脈拍）が良好になり、自律神経が良好になることが確認されている。
係る発明者の実験結果から、本発明の映像作成システム（１）は、幹細胞、培養上清、薬剤を投与する医療の効果を改善する医療機器として機能することが明らかである。
【００１２】
また本発明によれば、映像は何もない状態から作成（いわゆる「一から作成」）される訳ではなく、既存の映像を基本的な型として用い（テンプレートとして）、当該既存の映像（テンプレートとなる映像）を、事前に分析した患者（Ｐ）のデータ（疾病の種類、疾病部位、バイタルサイン、その他）に基づいて修正、編集して、作成する。そのため、何もない状態から映像を作成する（映像を一から作成する）場合に比較して、映像作成の労力、期間、コストを大幅に節減することが出来る。
例えば、幹細胞及び／又は培養上清を投与する場合は培養に例えば約４週間必要であるが、上述した様に既存の映像を編集する手法であれば、当該培養に必要な期間に患者（Ｐ）のデータ採取、分析、テンプレートとなる映像の修正（患者Ｐが見る患者専用映像の作成）を行うことが出来る。
ここで、他人の細胞（例えば、誰にでも投与可能な細胞、いわゆるマスターセルであって、既に培養されている細胞）を投与する場合には、４週間かけて患者自身の細胞を培養する必要は無い。上述した様に、本発明によれば映像作成の期間を大幅に節減することが出来るので、患者自身の細胞を培養せずに他人の細胞を投与する場合においても適用可能である。また、患者の血液検査に必要な１週間程度の期間があれば、必要な映像を作成することが可能である。
【００１３】
さらに本発明によれば、作成された映像を患者が見るという行為を通じて患者自身が積極的に治療に参加することになるので、患者が治療に参加する強い動機付けが得られる。そのため、治療コンプライアンス或いはアドヒランスを向上させることが出来る。
本発明において、作成された映像が、投与前と投与後の改善の状況を示すシミュレーション動画、或いは、改善された数値を包含していれば、「治癒している」と言う印象を患者（Ｐ）に強く付与することが出来る。その結果、治療の効果のより一層の改善を期待することが出来る。
【図面の簡単な説明】
【００１４】
【図１】本発明の映像作成システムの実施形態を示す機能ブロック図である。
【図２】図１の実施形態で作成される映像を編集段階毎に例示する説明図である。
【図３】図１の実施形態で作成される映像であって、図２に続く編集段階を段階毎に例示する説明図である。
【図４】実施形態における映像作成の手順を示すフローチャートである。
【図５】実施形態に係る映像作成システムと組み合わせた投与システムを示す機能ブロック図である。
【図６】図５の投与システムにおける映像調整用ブロックの機能ブロック図である。
【図７】図５の投与システムにおける使用手順を示すフローチャートである。
【図８】映像調整の手順及び投与システムの使用手順を示すフローチャートである。
【発明を実施するための形態】
【００１５】
以下、添付図面を参照して、本発明の実施形態について説明する。
図示の実施形態では、患者に幹細胞を投与する場合について説明している。ただし、幹細胞培養の際に用いられた培地の上清（培養上清）や各種薬剤を患者に投与する場合も、図示の実施形態に係る映像作成システムを適用できる。
ここで、各種薬剤としては、例えば抗がん剤、遺伝子治療用薬剤、点滴剤の様な各種薬剤、ビタミン剤、栄養剤等を含む。
さらに図示の実施形態において、「映像」なる文言は、ＶＲ体験システムで用いられる様な三次元映像のみならず、その他の映像や、アニメーション等の二次元映像、その他の各種動画をも包含する意味で用いられている場合がある。
【００１６】
図１において、実施形態に係る映像作成システムは全体を符号１で示しており、映像作成システム１は、幹細胞を投与する際に患者に見せる映像を、インターネットＩＮ等から取得する既存の映像であって基本的な型となる映像（テンプレートとなる映像）を修正、編集して作成する機能を有している。ここで、テンプレートとなる映像の修正、編集は、患者のデータ（疾病の種類、疾病部位、バイタルサイン、その他）に基づいて行われる。
また、テンプレートとなる映像についても、異なる複数のテンプレートとなる映像をインターネットＩＮ等によりを取得して、当該複数のテンプレートとなる映像を患者データにより使い分け、合成することも可能である。
【００１７】
図１において、映像作成システム１は、記憶装置１Ａと、編集ブロック１Ｂと、表示装置１Ｃ（ディスプレイ）と、入力装置１Ｄと、出力装置１Ｅを有している。
記憶装置１Ａは、映像データを記録する機能を有している。記憶装置１Ａで記録する映像データとしては、予め取得して記憶装置１Ａ内に記憶されている既存の映像のデータ、各種情報ネットワーク（例えばインターネットＩＮ、ＶＰＮ、クラウド等）から取得した既存の映像のデータ、編集ブロック１Ｂにより既に編集された映像データ等がある。
記憶装置１Ａは、前記映像のデータを記録する機能に加えて、インターネットＩＮ等、信号ラインＳＬ１を介して、外部情報源から既存の映像データを取得する機能を有する。映像データをインターネットＩＮ等の外部から取得する際は、図示しない入力装置を介して行うことも出来る。
【００１８】
また記憶装置１Ａは、編集ブロック１Ｂによる映像データの編集の際に、記憶装置１Ａに記録されたテンプレートとなる映像のデータを、信号ラインＳＬ２を介して編集ブロック１Ｂに送信する機能を有する。
さらに、記憶装置１Ａは、編集ブロック１Ｂにより編集された映像のデータ（編集後の映像データ）を、信号ラインＳＬ３を介して取得し、記録する機能を有し、そして、記録された編集後の映像データを、信号ラインＳＬ４を介して必要なタイミングで出力装置１Ｅに送信する機能を有している。
編集ブロック１Ｂにより編集された編集後の映像データは、出力装置１Ｅから、信号ラインＳＬ５を介して、幹細胞を投与する投与システム２０（図５）の映像装置１０の記憶ブロック１０Ｂに送信される。
【００１９】
図１において、編集ブロック１Ｂは、テンプレートとなる映像のデータを患者のデータ（疾病の種類、疾病部位、バイタルサイン、その他）に基づき修正、編集して、疾病の対象となる人体の部位（臓器や骨格等を含む）の修復を表現する映像を作成する機能を有している。
編集ブロック１Ｂは、テンプレートとなる映像のデータ（既存の映像データ）を、信号ラインＳＬ６を介してインターネットＩＮ等の外部情報源から取得し、信号ラインＳＬ２を介して記憶装置１Ａが記録しているテンプレートとなる映像のデータを取得する。
編集ブロック１Ｂの編集の際には、テンプレートとなる映像データ及び編集中の映像データが、信号ラインＳＬ７を介して表示装置１Ｃ（ディスプレイ）に送信され、表示される。
【００２０】
編集ブロック１Ｂの編集に際しては、操作担当者が入力装置１Ｄ（例えば、パーソナルコンピュータの入力装置）に患者のデータ（疾病の種類、疾病部位、バイタルサイン、その他）を入力する。入力された患者のデータは信号ラインＳＬ８を介して編集ブロック１Ｂに送信され、必要な指示を入力することにより編集作業が実行される。ここで操作担当者（入力装置１Ｄの捜査担当者）は、ディスプレイ１Ｃに表示されるテンプレートとなる映像及び編集中の映像を確認しつつ、患者のデータの入力、編集内容の具体的な指示を行う。編集の内容については、図２、図３を参照して後述する。
図１において、編集ブロック１Ｂは、患者専用に編集された映像のデータ（編集後の映像データ）を、信号ラインＳＬ３を介して記憶装置１Ａに送信し、編集後の映像データは記憶装置１Ａで記録される。
また、編集ブロック１Ｂは、信号ラインＳＬ９を介して編集後の映像データを出力装置１Ｅに直接送信する機能を有している。編集後の映像データは、出力装置１Ｅから、信号ラインＳＬ５を介して幹細胞を投与する投与システム２０（図５）の映像装置１０の記憶ブロック１０Ｂに送信される。
【００２１】
映像作成システム１で作成される映像は、例えば、幹細胞の投与前及び投与後の患者の患部の改善の状況を示すシミュレーション映像と、改善の状況を示す数値とを組み合わせた内容になっている。
ここで、改善の状況を示す数値としては、血液検査の結果、バイタルサインを含んだものである。そしてバイタルサインとしては、血圧、脈拍、既存の血液検査におけるパラメータ、骨年齢、血管年齢、筋肉年齢、ホルモン年齢、その他のアンチ・エイジングの指標として用いられるパラメータを包含する。
【００２２】
次に図２、図３を参照して、図１で示す映像作成システム１で作成される映像を、編集段階毎に例示して説明する。
図２（１）は、図１で示す映像作成システム１で作成される映像（シミュレーション映像）の例示であって、幹細胞の投与前の状況を示している。
図２、図３において、疾病部位は肝臓であり、疾病の結果、肝臓全体の約１／４に亘る正常な肝細胞が消失しており、当該正常な幹細胞が消失している領域が、図２（１）では患部Ａ（円周を点線で示す）と表現されている。図２（１）で示す映像を作成するに際して、編集ブロック１Ｂで編集される前のテンプレートとなる映像ＩＴ１では、例えば患部ＡＴは肝臓全体の約１／６であったが、患者の治療に関するデータに基づいて、患部Ａが肝臓全体の約１／４を占める様に修正、編集されている。
図２（１）の編集後の映像（左側の映像）において、テンプレート映像ＩＴ１に対して患部を追加した部分がハッチングで示されている。
【００２３】
図２（２）は、幹細胞の投与が開始された状況を示すシミュレーション映像のイメージである。図２（２）の映像では、図２（１）の映像と、患部Ａに患者の血管Ｂを介して幹細胞Ｃが投与される映像とを組み合わせて編集されている。
例えば、患部Ａに患者の血管Ｂを介して幹細胞Ｃが投与する映像についても、実際の患者の治療に関する既存の映像データをベースとして、幹細胞投与のテンプレートとなる映像ＩＴ２（図２（２）の右側の映像）を修正、編集して作成されている。
換言すれば、図２（２）は、患部Ａに幹細胞を投与する状況を患者が視覚的に擬似体験出来る様な画像に編集されている。
【００２４】
図２（２）に続いて、図３（１）で例示する編集段階となる。
図３（１）は、幹細胞の投与により患部Ａに健全な肝細胞が再生されつつある状況を示すシミュレーション映像が編集されており、図２（２）の映像データを修正、編集して作成されている。図３（１）において、肝細胞の再生部分ＲＧはハッチングを付して示されている。
図３（１）の様なシミュレーション映像を視認することにより、患者は、患部Ａに肝細胞が再生され、疾病が治癒される状況を視覚的に擬似体験することが出来るので、「疾病が治癒される」という心理的な印象が付与されて、一種の偽薬効果（プラシーボ効果）が発揮されて、疾病治癒の効果が向上すると期待される。
【００２５】
図３（２）は、幹細胞の投与が終了した時点において、患部Ａに健全な肝細胞が再生されて修復した肝臓の状況を示すシミュレーション映像のイメージであり、図３（１）の映像データを修正、編集して作成されている。図３（２）では、患部Ａにおける修復部分ＲＧ（再生部分）は図２（１）に比較して拡大されている。
また、図３（２）で示す様に、修復した肝臓のシミュレーション映像に加えて、改善された状況を示すバイタルサイン（血圧、脈拍、既存の血液検査におけるパラメータ、骨年齢、血管年齢、筋肉年齢、ホルモン年齢、その他のアンチ・エイジングの指標として用いられるパラメータを包含する）が示されている。図３（２）において、バイタルサインは、肝細胞の投与前（図３（２）の左下の部分）及び投与後（図３（２）の右下の部分）について、バイタルサインの数値が円周方向に配置された円グラフＣＧで表示されており、投与後におけるバイタルサインの数値が投与前に比較して大きく改善されたことが表示されている。その様な数値的なデータを表示することにより、患者が治療の効果を認識することが期待出来る。
【００２６】
上述した映像の作成手順を、主として図４のフローチャートを参照して説明する。
図４において、ステップＳ１では、インターネットＩＮ等の外部情報源から、既存の映像データであって、患者に見せる映像のテンプレートとなる様な映像データを取得する。当該テンプレートとなる映像を、図２（１）の映像ＩＴ１、図２（２）の映像ＩＴ２として例示している。
ステップＳ１のテンプレートとなる映像データの取得は、映像作成システム１の記憶装置１Ａ或いは編集ブロック１Ｂにより実行される。
【００２７】
ステップＳ２では、ステップＳ１で取得したテンプレートとなる映像データに対し、患者のデータ（疾病の種類、疾病部位（例えば肝臓）、損傷度、修復程度、バイタルサインによる改善率、その他）に基づき、図２、図３で例示する様な修正、編集を行い、当該患者専用の疾病部位の修復を表現する映像データを作成する。併せて、バイタルサインを示すグラフ等を作成する。図示はされていないが、編集後の映像には音声データを組み合せることが出来る。
ステップＳ２の映像データの編集、患者専用の映像データの作成は、映像作成システム１の編集ブロック１Ｂにより実行される。
【００２８】
ステップＳ３では、ステップＳ２で作成された患者専用の映像データを記憶装置１Ａに記録する。
記憶装置１Ａに記録された患者専用の映像データは、当該患者への幹細胞投与の際に、出力装置１Ｅを介して幹細胞の投与システム２０（図５）の映像装置１０（の記憶ブロック１０Ｂ）に送信される。
明示されていないが、記憶装置１Ａに記録された患者専用の映像データは、各種情報ネットワーク（例えばインターネット、ＶＰＮ、クラウド等）を介して、遠隔地や外国にも送信可能である。換言すれば、図示の実施形態に係る映像作成システム１で作成された映像データは、遠隔地や外国で幹細胞等の投与を行う際に患者に視認させることが出来る。
【００２９】
図示の実施形態に係る映像作成システム１は、幹細胞を投与する投与システム２０（点滴投与システム）と組み合わせて、医療用機器として用いることが出来る。図５以下を参照して、映像作成システム１と投与システム２０を組み合わせた医療用機器を説明する。
図５において、患者Ｐに幹細胞を点滴により投与する投与システム２０は、医療機関側の情報処理端末として入出力装置２２、幹細胞供給源２３、点滴容器２４、患者Ｐに装着されたＶＲ用ゴーグル２１、患者が装着したＶＲ用ゴーグル２１に映像を送信する映像装置１０を有している。
映像装置１０は、映像調整用ブロック１０Ａ、記憶ブロック１０Ｂを備えており、記憶ブロック１０Ｂは、信号ラインＳＬ５を介して映像作成システム１に接続されている。
【００３０】
医療機関の医師等Ｄは、医療機関側の情報処理端末である入出力装置２２を操作して、信号ラインＳＬ１０を介して幹細胞供給源２３に制御信号を発信し、点滴容器２４を用いて患者Ｐに対して点滴による幹細胞投与を行う。上述した様に、患者Ｐに対して投与するのは幹細胞に限定される訳ではなく、幹細胞培養の際に用いられた培地の上清（培養上清）や各種薬剤（例えば抗がん剤、遺伝子治療用薬剤、点滴剤の様な各種薬剤、ビタミン剤、栄養剤等）を投与することが出来る。
医師等Ｄは、入出力装置２２を操作して、幹細胞投与に関するデータを、信号ラインＳＬ１１を介して映像装置１０の映像調整用ブロック１０Ａに送信する。幹細胞投与に関するデータとしては、患者データ（疾病の種類、疾病部位（例えば肝臓）、損傷度、修復程度、バイタルサインによる改善率）、及び点滴投与実施情報（点滴時間、点滴開始の指令、点滴終了の指令）等が含まれる。
【００３１】
図５において、映像装置１０の映像調整用ブロック１０Ａは、前記医師等Ｄから送信された幹細胞投与に関するデータに基づき、ＶＲ用ゴーグル２１に送信するべき最適な映像（患者Ｐの状況に適合した映像）を選択、特定すると共に、種々の患者専用の映像が保存される記憶ブロック１０Ｂに対して、信号ラインＳＬ１２を介して選択された映像を要求する映像選択信号（選択映像要求信号）を送信する機能を有している。
また、映像調整用ブロック１０Ａは、前記映像選択信号に基づき記憶ブロック１０Ｂから、信号ラインＳＬ１３を介して選択映像（ＶＲ用映像データ）を取得し、当該ＶＲ用映像データを、信号ラインＳＬ１４を介して患者が装着するＶＲ用ゴーグル２１に提供する機能を有している。或いは映像調整用ブロック１０Ａは、患者データ及び点滴投与実施情報（点滴時間）に基づいて、選択したＶＲ用映像データの上映時間を点滴時間に合わせて伸長、短縮する機能を有している。
【００３２】
映像装置１０の記憶ブロック１０Ｂは、映像作成システム１で編集、作成された種々の患者専用の映像データを、信号ラインＳＬ５を介して映像作成システム１から取得（受信）し、保存する機能を有している。
記憶ブロック１０Ｂに保存される患者専用の映像は、上述した様に、映像調整用ブロック１０Ａからの映像選択信号により最適な映像（ＶＲ用映像データ）が選択され、記憶ブロック１０Ｂから映像調整用ブロック１０Ａに送信される。
【００３３】
図６において、映像調整用ブロック１０Ａは、映像選択ブロック１０Ｃ、時間調整ブロック１０Ｄ、映像信号出力ブロック１０Ｅを有している。
映像選択ブロック１０Ｃは、医師等Ｄ（図５）が操作する入出力装置２２から、信号ラインＳＬ１１−１を介して患者データ（疾病名称、疾病部位、損傷度、修復程度、バイタルサインによる改善率、その他）を取得し、当該情報に基づき患者Ｐ（のＶＲ用ゴーグル２１）に提供すべき最適な映像を選択、特定する機能を有する。
そして、映像選択ブロック１０Ｃは、選択、特定された患者専用の最適映像を、信号ラインＳＬ１２を介して記憶ブロック１０Ｂに要求し（映像要求信号）、記憶ブロック１０Ｂから、信号ラインＳＬ１３を介して当該選択、特定された映像データ（患者専用の映像データ）を取得する機能を有する。
映像選択ブロック１０Ｃが取得した選択、特定された映像データ（患者専用の映像データ）は、信号ラインＳＬ１４−１を介して時間調整ブロック１０Ｄに送信される。
【００３４】
時間調整ブロック１０Ｄは、医師等Ｄが入出力装置２２から、信号ラインＳＬ１１−２を介して送信した（予め医師等Ｄが決定する）点滴時間（患者Ｐへの幹細胞投与時間）に基づき、映像選択ブロック１０Ｃから送信された映像データ（患者専用の映像データ）を点滴時間に合せて編集（伸長或いは短縮）する。例えば、点滴時間内に収まる様に主要部分を中心に編集し、或いは全体を時間的に圧縮した内容に編集する。
時間調整ブロック１０Ｄで編集された患者専用の映像データは、信号ラインＳＬ１４−２を介して映像信号出力ブロック１０Ｅに送信される。
【００３５】
映像信号出力ブロック１０Ｅは、医師等Ｄが入出力装置２２より信号ラインＳＬ１１−３を介して送信した点滴開始信号に基づき、時間調整ブロック１０Ｄから送信されたＶＲ用映像データ（編集された患者専用の映像データ）を、信号ラインＳＬ１４−３を介して患者が装着するＶＲ用ゴーグル２１に送信する機能を有する。
また、映像信号出力ブロック１０Ｅは、医師等Ｄが入出力装置２２より信号ラインＳＬ１１−４を介して送信した点滴終了信号に基づき、ＶＲ用映像データ（編集された患者専用の映像データ）のＶＲ用ゴーグル２１への送信を終了する機能を有する。
ここで、ＶＲ用映像データは、上述した様に点滴時間に合せて編集（調整）されているので、点滴開始（点滴開始信号による）から点滴終了（点滴終了信号による）の間に過不足なく放映される。
【００３６】
図５、図６に示す映像装置１０を有する投与システム２０においては、患者Ｐに治療用の幹細胞を点滴により投与している間に、映像作成システム１で作成されたＶＲ用映像（患者専用の映像）を、ゴーグル２１を介して患者Ｐに見せている。
そのため、患者Ｐは疾病が解消した疑似体験を視覚的に体感することが出来、疾病が治癒される心理的な印象を受け、一種の偽薬効果が発揮されて、疾病治癒の効果が向上すると期待される。
なお、ＶＲ映像に加えて、各種音声データ（音楽等も含む）を与えることも疾病治癒に有効と考えられる。
【００３７】
図示の実施形態による幹細胞投与の手順の概要を、主として図７を参照して説明する。
図７において、ステップＳ１１において、患者、医師等の判断により、疾病患者の患部に幹細胞を投与することが決定され、患者の幹細胞が播取される。
ステップＳ１２では、患者の幹細胞を培養する。培養には、通常は、例えば約４週間必要である。
ステップＳ１２では、幹細胞の培養と併行して、幹細胞が投与される際に患者が見る患者専用の映像データを作成する。患者専用の映像データの作成は、図１〜図４を参照して説明した態様で、映像作成システム１（の編集ブロック１Ｂ等）により実行される。
ここで、他人の細胞（例えば、既に培養されているマスターセル）を投与する場合には、４週間かけて患者自身の細胞を培養する必要は無い。図示の実施形態では既存の映像をテンプレートとして用い、当該テンプレートとなる映像）を修正、編集して、必要な映像を作成するので、映像を一から作成する場合に比較して、映像作成の労力、期間、コストを大幅に節減することが出来る。そのため、４週間よりも遥かに短い期間で必要な映像を作成することが出来て、他人の細胞を投与する場合においても適用可能である。また、患者の血液検査に必要な１週間程度の期間で、必要な映像を作成することが可能である。
【００３８】
ステップＳ１３では、幹細胞を投与する際に患者に見せる患者専用の映像データの調整を行う。
ステップＳ１３の調整は、映像装置１０の映像選択ブロック１０Ｃにより、医師等が入出力装置２２で送信した患者データに基づいて、記憶ブロック１０Ｂに保存される種々の映像（既に映像作成システム１で編集されている映像）の中から最適な患者専用の映像データを選択することである。ただし、ステップＳ１２において作成された患者専用の映像データがそのまま使用されるのであれば、係る選択（調整）は不要である。
また、ステップＳ１３の調整として、患者への点滴投与の時間、時刻（点滴開始のタイミング、点滴終了のタイミング）に合わせて患者専用のＶＲ用映像データを患者Ｐのゴーグル２１に送信するために伸長或いは短縮する（時間調整する）ことである。係る時間調整は、映像装置１０の時間調整ブロック１０Ｄ及び映像信号出力ブロック１０Ｅにより実行される。そしてステップＳ１４に進む。
【００３９】
ステップＳ１４では、患者に幹細胞が投与され、その際、ステップＳ１２、ステップＳ１３で作成、調整された患者専用のＶＲ映像データが、患者が装着するゴーグル２１に送信され、点滴治療中の患者Ｐは当該映像データを視認する。
なお、ステップＳ１３で説明した時間調整は、ステップＳ１４で実行することも出来る。
【００４０】
図８を参照して、映像調整（ステップＳ１３）及び投与（ステップＳ１４）について詳細に説明する。
図８において、ステップＳ２１では、疾病患者の患部に幹細胞を投与するに際して、患者の疾病名称、疾病部位、損傷度等の患者データが、医師等により（投与システム２０の）入出力装置２２から映像装置１０の映像選択ブロック１０Ｃに入力されたか否かを判断する。
患者データが映像選択ブロック１０Ｃに入力された場合（ステップＳ２１が「Ｙｅｓ」）はステップＳ２２に進み、患者データが映像選択ブロック１０Ｃに入力されない場合はステップＳ２１に戻る（ステップＳ２１が「Ｎｏ」のループ）。
【００４１】
ステップＳ２２では、映像選択ブロック１０Ｃは、ステップＳ２１で入力された患者データに基づき、幹細胞投与時に患者に提供すべき最適な映像データを選択、特定する。そして、当該映像データを記憶ブロック１０Ｂから取得する。
ステップＳ２３では、点滴時間が、医師等により入出力装置２２を介して映像装置１０の時間調整ブロック１０Ｄに入力されたか否かを判断する。
点滴時間が時間調整ブロック１０Ｄに入力された場合（ステップＳ２３が「Ｙｅｓ」）はステップＳ２４に進み、点滴時間が時間調整ブロック１０Ｄに入力されない場合はステップＳ２３に戻る（ステップＳ２３が「Ｎｏ」のループ）。
【００４２】
ステップＳ２４では、時間調整ブロック１０Ｄにより、ステップＳ２２で映像選択ブロック１０Ｃが取得して時間調整ブロック１０Ｄに送信した映像データ（患者専用の映像データ）を、点滴時間に合せて編集（伸長或いは短縮）する。
次のステップＳ２５では、点滴開始信号が、医師等により入出力装置２２を介して映像装置１０の映像信号出力ブロック１０Ｅに入力されたか否かを判断する。ステップＳ２５において、点滴開始信号が映像信号出力ブロック１０Ｅに入力された場合（ステップＳ２５が「Ｙｅｓ」）はステップＳ２６に進み、点滴開始信号が映像信号出力ブロック１０Ｅに入力されない場合はステップＳ２５に戻る（ステップＳ２５が「Ｎｏ」のループ）。
【００４３】
ステップＳ２６では、映像信号出力ブロック１０Ｅは、ステップＳ２４で時間調整ブロック１０Ｄが編集したＶＲ用映像データを患者Ｐが装着するＶＲ用ゴーグル２１に送信する。
次のステップＳ２７では、点滴終了信号が、医師等により入出力装置２２を介して映像信号出力ブロック１０Ｅに入力されたか否かを判断する。ステップＳ２７で点滴終了信号が映像信号出力ブロック１０Ｅに入力された場合（ステップＳ２７が「Ｙｅｓ」）はステップＳ２８に進み、点滴終了信号が映像信号出力ブロック１０Ｅに入力されない場合はステップＳ２７に戻る（ステップＳ２７が「Ｎｏ」のループ）。
ステップＳ２８では、映像信号出力ブロック１０Ｅは、患者のＶＲ用ゴーグル２１への送信されているＶＲ用映像データ（患者専用の映像データ）の送信を終了する。
【００４４】
図示の実施形態によれば、映像作成システム１の編集ブロック１Ｂでは疾病の対象となる人体の部位（臓器や骨格等を含む）、或いは当該部位の修復を表現する映像（患者専用の映像）を、既存のテンプレートとなる映像データから患者のデータ（疾病の種類、疾病部位、バイタルサイン、その他）に基づいて修正、編集して作成する機能を有している。
そのため、例えば幹細胞を患者の体内に投与する際に、投与されている患者は、体内に生じている状況をリアルタイムに表現する様な内容の映像、或いは、患者本人にしか体験できない状況をリアルタイムに示す様な映像を見せられ、当該患者は治療の効果を視覚的に擬似体験することが出来る。
そして、その様な疑似体験により、患者は疾病が治癒される感覚を視覚的に体感することが出来るので、「疾病が治癒される」という心理的な印象を受けることとなり、一種の偽薬効果（プラシーボ効果）が発揮され、疾病治癒の効果が向上する。
【００４５】
ここで、当該患者専用の映像は、幹細胞を体内に投与されている患者のみがＶＲゴーグル２１を装着して見られるものであり、当該患者独自のものである。
患者Ｐ以外は見ることが無い当該映像は、患者Ｐが見れば非常に現実的であり、且つ、患者Ｐの体内でリアルタイムに生じている実際の現象の映像であると感じることが出来る内容であるため、患者Ｐに「疾病が治癒される」という心理的な印象を与え易いと推定され、映像を見ることによる作用効果は患者Ｐ本人しか感じることは出来ない。
発明者の実験によれば、細胞及び／又は培養上清を投与されている患者であっても、図示の実施形態で作成された映像を見た患者は、その様な映像を見ていない患者に比較して、奏効率が向上し、バイタルサイン（血圧、脈拍）が良好になり、自律神経が良好になることが確認されている。
【００４６】
また図示の実施形態によれば、上述した様に、患者専用の映像は何もない状態から作成される訳ではなく、映像作成システム１において、既存の映像であるテンプレートとなる映像を、事前に分析した患者のデータ（疾病の種類、疾病部位、バイタルサイン、その他）に基づいて修正、編集して作成するので、映像作成の労力、期間、コストを大幅に抑制することが来る。
例えば、幹細胞の培養には通常約４週間の期間が必要であるが、当該期間中或いはそれよりも遥かに短い期間内に患者専用の映像の作成することが出来る。そのため、他人の細胞を投与する場合に必要な映像を早急に用意することが出来ると共に、血液検査を行う期間内に必要な映像を準備することが可能である。
【００４７】
また図示の実施形態によれば、作成された映像を患者が見るという行為を通じて患者自身が積極的に治療に参加することになるので、患者が治療に参加する強い動機付けが得られる。その結果、図示の実施形態において作成された映像を患者に見せることにより、治療コンプライアンス或いはアドヒランスを向上させることが出来る。
さらに、図示の実施形態において、作成された映像は、投与前と投与後の改善の状況についてバイタルサインをグラフ化した情報（例えば円グラフ：ず３（２）参照）を含んでいるので、「治癒している」と言う印象を患者に強く付与することが出来る。
加えて図示の実施形態では、映像作成システム１で作成されたＶＲ用映像データは、患者の点滴時間に合わせて映像の放映時間を調整するので、治療に際して必要な映像を過不足なく患者Ｐのゴーグル２１に送信することが出来る。
【００４８】
図示の実施形態はあくまでも例示であり、本発明の技術的範囲を限定する趣旨の記述ではないことを付記する。
例えば、図示の実施形態において患者Ｐに投与されるのは幹細胞であるが、幹細胞培養の際に用いられた培地の上清（培養上清）、各種薬剤（（例えば抗がん剤、遺伝子治療用薬剤、点滴剤の様な各種薬剤、ビタミン剤、栄養剤等））を患者Ｐに投与する際に、図示の実施形態で説明した様な映像を患者Ｐに視認させることが出来る。
【符号の説明】
【００４９】
１・・・映像作成システム
１Ａ・・・記憶装置
１Ｂ・・・編集ブロック
１Ｃ・・・ディスプレイ（表示装置）
１Ｄ・・・入力装置
１Ｅ・・・出力装置
１０・・・映像装置
１０Ａ・・・映像調整用ブロック
１０Ｂ・・・記憶ブロック
２０・・・投与システム（例えば点滴システム）
２１・・・映像投影用ゴーグル
Ｐ・・・患者
【要約】
【課題】幹細胞、幹細胞培養の際に用いられた培地の上清（培養上清）或いは各種薬剤を患者に投与する際に、患者の心理的側面から治療効果を改善することが出来て、医療機器として用いることが出来る映像作成システムの提供。
【解決手段】本発明の映像作成システム（１）は、映像データを記録する機能を有する記憶装置（１Ａ）と、既存の映像のデータを編集する機能を有する編集ブロック（１Ｂ）と、編集ブロック（１Ｂ）で編集される映像を表示する表示装置（１Ｃ）と、編集ブロック（１Ｂ）に映像編集に関する指示を入力する入力装置（１Ｄ）を有し、編集ブロック（１Ｂ）では疾病の対象となる人体の部位（臓器や骨格等を含む）の修復を表現する映像を編集する機能を有している。
【選択図】図１【図１】
0006917081.tif 000002
【図２】
0006917081.tif 000003
【図３】
0006917081.tif 000004
【図４】
0006917081.tif 000005
【図５】
0006917081.tif 000006
【図６】
0006917081.tif 000007
【図７】
0006917081.tif 000008
【図８】
0006917081.tif 000009